(57)【要約】【課題】  移動端末を用いることなく、土地開発等の影響によるセルエリアの変化にて発生するセル干渉エリアで生じる通話品質の悪化を検出可能な無線通信システムを提供する。【解決手段】  検査用データ生成部１３は検査用データを生成し、データ変調部１４はその検査用データを周波数ｆ１で変調し、送信アンテナ１５０から無線区間に送信する。受信アンテナ１１０，１２０，・・・，１ｎ０は検査用データを受信し、データ復調部１１−１〜１１−ｎはその検査用データを復調する。比較部１２−１〜１２−ｎは検査用データ生成部１３からの検査用データと、データ復調部１１−１〜１１−ｎからの復調データ＃１〜＃ｎとを比較し、その比較結果＃１〜＃ｎを有線伝送路１００を経由して交換局６へ報告する。【選択図】      図１
2007104648.tif 000002
【特許請求の範囲】
【請求項１】
複数の基地局が交換局に接続されたシステムにおいて、同じ周波数を繰り返し再利用して複数のセルエリアを構成する無線通信システムであって、
前記複数の基地局各々は、自局に対応するセルエリアの境界近傍に設置された複数の受信アンテナと、自局から送信した検査用データの前記複数の受信アンテナ各々での受信状態を基に自セルエリアの変化を検出する検出手段と、前記検出手段の検出結果を前記交換局に通知する通知手段とを有することを特徴とする無線通信システム。
【請求項２】
前記検出手段は、前記自局から送信した検査用データと前記複数の受信アンテナ各々での受信結果とをそれぞれ比較することで、自セルエリアと同一周波数の他のセルエリアとが重なり合った場合に生じるセル干渉エリアを検出することを特徴とする請求項１記載の無線通信システム。
【請求項３】
前記通知手段は、前記複数の受信アンテナ毎の比較結果を前記交換局に通知することを特徴とする請求項２記載の無線通信システム。
【請求項４】
前記通知手段は、前記比較手段の比較結果が一致の時に正常を通知し、前記比較結果が不一致の時に異常を通知することを特徴とする請求項１から請求項３のいずれか記載の無線通信システム。
【請求項５】
前記交換局は、前記セル干渉が発生した場合にその干渉源の基地局に対して送信電力を下げるように指示し、当該基地局のセルエリアを小さくすることを特徴とする請求項２から請求項４のいずれか記載の無線通信システム。
【請求項６】
前記交換局は、前記複数の受信アンテナ毎の比較結果を基に前記セル干渉の発生を検出する手段と、前記セル干渉の発生を検出した時に当該セル干渉が発生している受信アンテナから最も近くかつ同一周波数の受信アンテナを持つ基地局を特定する手段とを含むことを特徴とする請求項５記載の無線通信システム。
【請求項７】
前記基地局を特定する手段は、前記受信アンテナが属する基地局情報と前記セルエリアの周波数情報と前記複数の受信アンテナ同士の距離情報を含む受信アンテナ位置情報を検索して前記セル干渉が発生している受信アンテナから最も近くかつ同一周波数の受信アンテナを持つ基地局を特定することを特徴とする請求項６記載の無線通信システム。
【請求項８】
同じ周波数を繰り返し再利用して複数のセルエリアを構成する無線通信システムにおいて交換局に接続される基地局であって、
自局に対応するセルエリアの境界近傍に設置された複数の受信アンテナと、自局から送信した検査用データの前記複数の受信アンテナ各々での受信状態を基に自セルエリアの変化を検出する検出手段と、前記検出手段の検出結果を前記交換局に通知する通知手段とを有することを特徴とする基地局。
【請求項９】
前記検出手段は、前記自局から送信した検査用データと前記複数の受信アンテナ各々での受信結果とをそれぞれ比較することで、自セルエリアと同一周波数の他のセルエリアとが重なり合った場合に生じるセル干渉エリアを検出することを特徴とする請求項８記載の基地局。
【請求項１０】
前記通知手段は、前記複数の受信アンテナ毎の比較結果を前記交換局に通知することを特徴とする請求項９記載の基地局。
【請求項１１】
前記通知手段は、前記比較手段の比較結果が一致の時に正常を通知し、前記比較結果が不一致の時に異常を通知することを特徴とする請求項８から請求項１０のいずれか記載の基地局。
【請求項１２】
前記複数の受信アンテナ毎の比較結果を基に前記セル干渉の発生を検出しかつ自局が当該セル干渉の干渉源の場合に前記交換局からの指示に応答して送信電力を下げ、自局のセルエリアを小さくすることを特徴とする請求項９から請求項１１のいずれか記載の基地局。
【請求項１３】
同じ周波数を繰り返し再利用して複数のセルエリアを構成する無線通信システムにおいて複数の基地局が接続される交換局であって、
前記複数の基地局各々に、前記基地局に対応するセルエリアの境界近傍に設置された複数の受信アンテナが設けられ、
前記基地局から送信した検査用データと前記複数の受信アンテナ各々での受信結果との比較結果を基に前記セル干渉の発生を検出する手段と、前記セル干渉が発生した場合にその干渉源の基地局に対して送信電力を下げるように指示して当該基地局のセルエリアを小さくする手段とを有することを特徴とする交換局。
【請求項１４】
前記セル干渉の発生を検出した時に当該セル干渉が発生している受信アンテナから最も近くかつ同一周波数の受信アンテナを持つ基地局を特定する手段を含むことを特徴とする請求項１３記載の交換局。
【請求項１５】
前記基地局を特定する手段は、前記受信アンテナが属する基地局情報と前記セルエリアの周波数情報と前記複数の受信アンテナ同士の距離情報を含む受信アンテナ位置情報を検索して前記セル干渉が発生している受信アンテナから最も近くかつ同一周波数の受信アンテナを持つ基地局を特定することを特徴とする請求項１４記載の交換局。
【請求項１６】
複数の基地局が交換局に接続されたシステムにおいて、同じ周波数を繰り返し再利用し、複数のセルエリアを構成する無線通信システムにて、前記複数のセルエリアのうちの一つと同一周波数の他のセルエリアとが重なり合った場合に生じるセル干渉エリアを検出するセル干渉エリア検出方法であって、
前記複数の基地局各々に対応するセルエリアの境界近傍に複数の受信アンテナを設置し、
前記複数の基地局各々が、自局から送信した検査用データの前記複数の受信アンテナ各々での受信状態を基に自セルエリアの変化を検出し、その検出結果を前記交換局に通知することを特徴とするセル干渉エリア検出方法。
【請求項１７】
前記複数の基地局各々が、前記自局から送信した検査用データと前記複数の受信アンテナ各々での受信結果とをそれぞれ比較することで前記セル干渉エリアを検出することを特徴とする請求項１６記載のセル干渉エリア検出方法。
【請求項１８】
前記複数の基地局各々が、前記複数の受信アンテナ毎の比較結果を前記交換局に通知することを特徴とする請求項１７記載のセル干渉エリア検出方法。
【請求項１９】
前記複数の基地局各々が、前記比較結果が一致の時に正常を通知し、前記比較結果が不一致の時に異常を通知することを特徴とする請求項１６から請求項１８のいずれか記載のセル干渉エリア検出方法。
【請求項２０】
前記交換局が、前記セル干渉が発生した場合にその干渉源の基地局に対して送信電力を下げるように指示し、当該基地局のセルエリアを小さくすることを特徴とする請求項１７から請求項１９のいずれか記載のセル干渉エリア検出方法。
【請求項２１】
前記交換局が、前記複数の受信アンテナ毎の比較結果を基に前記セル干渉の発生を検出する処理と、前記セル干渉の発生を検出した時に当該セル干渉が発生している受信アンテナから最も近くかつ同一周波数の受信アンテナを持つ基地局を特定する処理とを実行することを特徴とする請求項２０記載のセル干渉エリア検出方法。
【請求項２２】
前記交換局が、前記基地局を特定する処理において、前記受信アンテナが属する基地局情報と前記セルエリアの周波数情報と前記複数の受信アンテナ同士の距離情報を含む受信アンテナ位置情報を検索して前記セル干渉が発生している受信アンテナから最も近くかつ同一周波数の受信アンテナを持つ基地局を特定することを特徴とする請求項２１記載のセル干渉エリア検出方法。
【発明の詳細な説明】
【技術分野】
【０００１】
本発明は無線通信システム、基地局、交換局及びそれらに用いるセル干渉エリア検出方法に関し、特に無線通信システムにおいてセル干渉エリアを検出する方法に関する。
【背景技術】
【０００２】
一般的に、無線通信システムにおいては、基地局毎に異なる周波数を使用する場合、周波数を有効利用するため、あるセルエリアにて使用した周波数を、そのセルエリアの影響が及ばないエリアで再利用してセルエリアを構成する方法が用いられている（例えば、特許文献１参照）。
【０００３】
この無線通信システムにおいて、無線信号を遮断する障害物（建物や山等）が存在している場合のセルエリア構成の一例を図４に示す。図４に示す無線通信システムでは、障害物５が存在しているため、セルエリア１０１とセルエリア４０１とが重なりあることがない。したがって、周波数を有効に使うために、セルエリア１０１とセルエリア４０１とを同じ周波数ｆ１としてもセル干渉エリアが発生しないので、通話品質に問題は発生しない。
【０００４】
【特許文献１】特開平０９−２３３５３６号公報
【発明の開示】
【発明が解決しようとする課題】
【０００５】
上記の図４に示す無線通信システムの問題点について図５を参照して説明する。図４に示す障害物５が土地開発等でなくなった場合には、セルエリアが変化し、図５に示すように、同一周波数のセルエリア（セルエリア１０１及びセルエリア４０１）が重なり合い、基地局１の無線信号と基地局４の無線信号とが互いに干渉し合うセル干渉エリア５００が発生し、そのセル干渉エリア５００の通話品質が悪化する。
【０００６】
従来の無線通信システムでは、このセル干渉エリア５００が発生しているかどうかをチェックする機能が存在していないため、セル干渉エリア５００の発生による通話品質の悪化を検出する方法として、移動端末を使用する方法しか存在していない。
【０００７】
したがって、図５に示すように、無線通信システムがサービスを開始した後に土地開発等でセルエリアが変化し、セル干渉エリア５００が発生した場合には、移動端末を使用しているユーザが干渉エリア５００に位置した時点で通話品質が悪化していることに気が付いてオペレータに対してクレームを発生させるまで、セル干渉エリア５００の発生を知ることができない。
【０００８】
そこで、本発明の目的は上記の問題点を解消し、移動端末を用いることなく、土地開発等の影響によるセルエリアの変化にて発生するセル干渉エリアで生じる通話品質の悪化を検出することができる無線通信システム、基地局、交換局及びそれらに用いるセル干渉エリア検出方法を提供することにある。
【課題を解決するための手段】
【０００９】
本発明による無線通信システムは、複数の基地局が交換局に接続されたシステムにおいて、同じ周波数を繰り返し再利用し、複数のセルエリアを構成する無線通信システムであって、
前記複数の基地局各々は、自局に対応するセルエリアの境界近傍に設置された複数の受信アンテナと、自局から送信した検査用データの前記複数の受信アンテナ各々での受信状態を基に自セルエリアの変化を検出する検出手段と、前記検出手段の検出結果を前記交換局に通知する通知手段とを備えている。
【００１０】
本発明による基地局は、同じ周波数を繰り返し再利用し、複数のセルエリアを構成する無線通信システムにおいて交換局に接続される基地局であって、
自局に対応するセルエリアの境界近傍に設置された複数の受信アンテナと、自局から送信した検査用データの前記複数の受信アンテナ各々での受信状態を基に自セルエリアの変化を検出する検出手段と、前記検出手段の検出結果を前記交換局に通知する通知手段とを備えている。
【００１１】
本発明による交換局は、同じ周波数を繰り返し再利用して複数のセルエリアを構成する無線通信システムにおいて複数の基地局が接続される交換局であって、
前記複数の基地局各々に、前記基地局に対応するセルエリアの境界近傍に設置された複数の受信アンテナが設けられ、
前記基地局から送信した検査用データと前記複数の受信アンテナ各々での受信結果との比較結果を基に前記セル干渉の発生を検出する手段と、前記セル干渉が発生した場合にその干渉源の基地局に対して送信電力を下げるように指示して当該基地局のセルエリアを小さくする手段とを備えている。
【００１２】
本発明によるセル干渉エリア検出方法は、複数の基地局が交換局に接続されたシステムにおいて、同じ周波数を繰り返し再利用し、複数のセルエリアを構成する無線通信システムにて、前記複数のセルエリアのうちの一つと同一周波数の他のセルエリアとが重なり合った場合に生じるセル干渉エリアを検出するセル干渉エリア検出方法であって、
前記複数の基地局各々に対応するセルエリアの境界近傍に複数の受信アンテナを設置し、
前記複数の基地局各々が、自局から送信した検査用データの前記複数の受信アンテナ各々での受信状態を基に自セルエリアの変化を検出し、その検出結果を前記交換局に通知している。
【００１３】
すなわち、本発明の無線通信システムは、同じ周波数を繰り返し再利用し、複数のセルエリアを構成する無線通信システムにおいて、建物を壊したり、山を開拓するような土地開発の影響によってセルエリアが変化したことで、ある基地局が形成するセルエリアと他の基地局からの同一周波数のセルエリアとが重なり合った場合に生じるセル干渉エリアを検出し、保守監視卓に表示させることで、オペレータにセル干渉エリアが発生していることを通知することを特徴としている。
【００１４】
より具体的に説明すると、本発明の無線通信システムでは、基地局が周波数ｆ１を送信してセルエリアを形成し、セルエリアの境界付近に複数の受信アンテナを設置し、それらを基地局に接続し、送信アンテナから周波数ｆ１で変調された検査用データを送信し、それを複数の受信アンテナで正常に受信可能かどうかを確認している。
【００１５】
本発明の無線通信システムでは、障害物（建物、山等）が土地開発によってなくなり、セルエリアが変化した場合、同一周波数ｆ１のセルエリアが重なり合うと、基地局の送信信号と他の基地局４の送信信号とが互いに干渉し合うセル干渉エリアが生じる。このため、受信アンテナでは、周波数ｆ１で変調された検査用データに誤りが生ずるため、基地局がセル干渉エリアが発生していると判断し、その旨を交換局に報告する。
【００１６】
その結果を受信した交換局は、保守監視卓にセル干渉エリアが発生していることを通知し、保守監視卓がセル干渉エリアの発生を表示するため、オペレータが基地局の受信アンテナにてセル干渉エリアが発生していることを知ることが可能となる。
【００１７】
従来の無線通信システムでは、基地局に検査用データを送信し、セルエリアの境界付近に設置した複数の受信アンテナにてそれを受信し、セル干渉エリアが発生しているかどうかをチェックする機能が存在せず、オペレータに対してセル干渉エリアが発生していることを通知する機能もない。
【００１８】
これに対し、本発明の無線通信システムでは、セル干渉エリアが発生したことを基地局にて検出可能となり、それを交換局へ報告し、交換局が保守監視卓に報告し、保守監視卓に表示することで、オペレータがセル干渉エリアの発生を知ることが可能となるので、通話品質の悪化を一早く知ることが可能となるため、建物を壊したり、山を開拓するような土地開発等の影響でセルエリアが変化し、セル干渉エリアが発生した場合に生じる通話品質の悪化によるユーザからのクレームを軽減させることが可能となる。
【００１９】
また、本発明の無線通信システムでは、複数のセルエリアの通話品質の状況を交換局にて確認可能となるので、移動端末を使用して実際のセルエリアにおいて通話し、品質を確認する行為を行わなくて済むため、通話品質の調査を行う人手や労力を軽減可能となる。
【発明の効果】
【００２０】
本発明は、以下に述べるような構成及び動作とすることで、移動端末を用いることなく、土地開発等の影響によるセルエリアの変化にて発生するセル干渉エリアで生じる通話品質の悪化を検出することができるという効果が得られる。
【発明を実施するための最良の形態】
【００２１】
次に、本発明の実施例について図面を参照して説明する。図１は本発明の一実施例による無線通信システムの構成を示すブロック図である。図１において、本発明の一実施例による無線通信システムは基地局１〜４と、無線信号を遮断する障害物（建物や山等）５と、交換局６と、保守監視卓７と、セルエリア１０１，２０１，３０１，４０１とから構成されている。
【００２２】
基地局１〜４はそれぞれ有線伝送路にて交換局６に接続され、交換局６は有線伝送路を使用して基地局１〜４から報告されるセル干渉情報を受信する。保守監視卓７は交換局６から通知されるセル干渉情報を表示する。尚、基地局１〜４と交換局６との間を接続する有線伝送路は、基地局１と交換局６との間を接続する有線伝送路１００を除いて、その図示を省略している。
【００２３】
また、それぞれのセルエリア１０１，２０１，３０１，４０１の境界付近にはそれぞれ対応する基地局２〜４に接続される受信アンテナが設置されているが、図が繁雑となるため、基地局１に接続される受信アンテナ１１０，１２０，・・・，１ｎ０を除いて、その図示を省略している。さらに、保守監視卓７に表示されるセル干渉情報は図示せぬオペレータによって確認される。
【００２４】
セルエリア１０１は基地局１の送信アンテナ１５０から送信される周波数ｆ１で形成され、セルエリア２０１は基地局２の送信アンテナ２５０から送信される周波数ｆ２で形成され、セルエリア３０１は基地局３の送信アンテナ３５０から送信される周波数ｆ３で形成され、セルエリア４０１は基地局４の送信アンテナ４５０から送信される周波数ｆ１で形成される。また、受信アンテナ１１０，１２０，・・・，１ｎ０はセルエリア１０１の境界付近に配置され、基地局１の送信アンテナ１５０から送信された周波数ｆ１で変調された検査用データを受信する。他の基地局２〜４に接続される受信アンテナも、受信アンテナ１１０，１２０，・・・，１ｎ０と同様に動作する。
【００２５】
図２は図１の基地局１の構成を示すブロック図である。図２において、基地局１はデータ復調部１１−１〜１１−ｎと、比較部１２−１〜１２−ｎと、検査用データ生成部１３と、データ変調部１４と、受信アンテナ１１０，１２０，・・・，１ｎ０とから構成されている。尚、他の基地局２〜４も、上記の基地局１と同様の構成となっており、その動作も後述する基地局１の動作と同様である。
【００２６】
検査用データ生成部１３は検査用データを生成し、その検査用データをデータ変調部１４と複数の比較部１２−１〜１２−ｎとにそれぞれ送信する。データ変調部１４は検査用データ生成部１３からの検査用データを周波数ｆ１で変調し、その周波数ｆ１で変調された検査用データを送信アンテナ１５０から無線区間に送信する。
【００２７】
受信アンテナ１１０，１２０，・・・，１ｎ０は周波数ｆ１で変調された検査用データを受信し、それぞれデータ復調部１１−１〜１１−ｎへ入力する。データ復調部１１−１〜１１−ｎは受信アンテナ１１０，１２０，・・・，１ｎ０から入力されたデータを復調し、その復調データ＃１〜＃ｎを比較部１２−１〜１２−ｎへ出力する。比較部１２−１〜１２−ｎは検査用データ生成部１３からの検査用データと、データ復調部１１−１〜１１−ｎからの復調データ＃１〜＃ｎとを比較し、その比較結果＃１〜＃ｎを有線伝送路１００を経由して交換局６へ報告する。
【００２８】
図３は本発明の一実施例による無線通信システムにおいて障害物５がなくなった状態を示すブロック図である。これら図１〜図３を参照して本発明の一実施例による無線通信システムの動作について説明する。
【００２９】
基地局１は検査用データ生成部１３にて生成した検査用データをデータ変調部１４と比較部１２−１〜１２−ｎとにそれぞれ入力する。データ変調部１４に入力された検査用データは周波数ｆ１に変調され、送信アンテナ１５０から送信される。また、周波数ｆ１で変調された検査用データは受信アンテナ１１０にて受信され、データ復調部１１−１にて復調データ＃１に復調され、比較部１２−１に入力される。
【００３０】
比較部１２−１は入力された検査用データと復調データ＃１とを比較し、それらの比較結果＃１を有線伝送路１００を経由して交換局６へ報告する。比較結果が一致している場合には比較結果＃１を正常とし、比較結果が一致していない場合には比較結果＃１を異常とする。尚、受信アンテナ１２０，・・・，１ｎ０、データ復調部１１−２〜１１−ｎ、比較部１２−２〜１２−ｎについても、上記の受信アンテナ１１０、データ復調部１１−１、比較部１２−１の場合と同様に動作する。
【００３１】
図１に示す状態の場合、基地局１に接続されている複数の受信アンテナ１１０，１２０，・・・，１ｎ０全てについてセルエリア１０１の内部に位置しており、かつ他の基地局２〜４からの干渉等もないため、基地局１から送信した周波数ｆ１で変調された検査用データを全ての受信アンテナ１１０，１２０，・・・，１ｎ０にて受信し、全てのデータ復調部１１−１〜１１−ｎにて復調された復調データ＃１〜＃ｎと、検査用データとが比較部１２−１〜１２−ｎにて一致する。
【００３２】
したがって、基地局１から交換局６に対しては、全ての比較結果比較結果＃１〜＃ｎが正常であるとして報告され、交換局６から保守監視卓７に対してもその結果が報告される。したがって、セル干渉エリアが発生していないことが保守監視卓７に表示されるので、オペレータがセル干渉エリアが発生していないことを知ることができる。
【００３３】
次に、図１に示す障害物５が土地開発等によってなくなったことで、セルエリアが変化し、同一周波数のセルエリア、つまりセルエリア１０１とセルエリア４０１とが重なりあい、図３に示すように、セル干渉エリア５００が発生する。
【００３４】
セル干渉エリア５００では、周波数ｆ１で変調された検査用データが基地局４から送信されるデータの干渉を受けるため、受信アンテナ１１０にて受信しかつ周波数ｆ１で変調された検査用データを復調した復調データ＃１が誤ってしまう。これによって、データ復調部１１−１にて復調した復調データ＃１と、検査用データとを比較部１２−１で比較した結果、データが一致しないため、基地局１から交換局６に対しては比較結果＃１にて異常であることが報告される。
【００３５】
尚、受信アンテナ１２０及び受信アンテナ１ｎ０においては、特に干渉等が発生していないため、復調データ＃２及び復調データ＃ｎと検査用データとが一致し、比較結果＃２及び比較結果＃ｎにて正常であることが報告される。これらの比較結果＃１〜＃ｎを受信した交換局６は、保守監視卓７に対して結果結果＃１が異常であることを報告する。
【００３６】
したがって、基地局１の受信アンテナ１１０にてセル干渉エリア５００が発生していることを保守監視卓７に表示することができるので、オペレータはセル干渉エリア５００が発生していることを知ることができる。
【００３７】
このように、本実施例では、セル干渉エリア５００が発生したことを基地局１〜４にて検出することができ、それを交換局６へ報告し、交換局６が保守監視卓７に報告して表示することで、オペレータがセル干渉エリア５００の発生を知ることができ、通話品質の悪化を一早く知ることができるため、建物を壊したり、山を開拓するような土地開発等の影響でセルエリア１０１，２０１，３０１，４０１が変化し、セル干渉エリア５００が発生した場合に生じる通話品質の悪化によるユーザからのクレームを軽減させることができる。
【００３８】
また、本実施例では、複数のセルエリア１０１，２０１，３０１，４０１の通話品質の状況を交換局６にて確認することができるので、移動端末を使用して実際のセルエリアにおいて通話し、品質を確認する行為を行わなくて済むため、通話品質の調査を行う人手や労力を軽減することができる。
【００３９】
図６は本発明の他の実施例による無線通信システムの構成を示すブロック図である。図６において、本発明の他の実施例による無線通信システムは、交換局６と基地局４とを有線伝送路４００で接続し、基地局４に受信アンテナ４１０を設けた以外は図１に示す本発明の一実施例による無線通信システムと同様の構成となっており、同一構成要素には同一符号を付してある。
【００４０】
図７は図６の基地局の構成を示すブロック図である。図７において、本発明の他の実施例では、基地局１に送信電力制御部１５及び可変アッテネータ１６を追加し、交換局６にセルエリア制御部６１及び受信アンテナ位置情報格納部６２を設けた以外は図２に示す本発明の一実施例における基地局１及び交換局６と同様の構成となっており、同一構成要素には同一符号を付してある。また、本実施例においても、他の基地局２〜４が、上記の基地局１と同様の構成となっており、その動作も後述する基地局１の動作と同様である。
【００４１】
交換局６の受信アンテナ位置情報格納部６２には、受信アンテナ位置情報（受信アンテナ１１０〜１ｎ０が属する基地局情報、セルエリア１０１，２０１，３０１，４０１の周波数情報、各受信アンテナ１１０〜１ｎ０同士の距離情報を含む）をセルエリア制御部６１へ出力する。
【００４２】
交換局６のセルエリア制御部６１は、比較部１２−１〜１２−ｎから入力された比較結果＃１〜＃ｎについてどれか誤っていた場合、誤っている受信アンテナから最も近くかつ同一周波数のセルエリアに位置している受信アンテナを有する基地局を、受信アンテナ位置情報格納部６２から入力される受信アンテナ位置情報にて特定し、その基地局に対して送信電力を下げるように送信電力制御部１５に指示する送信電力制御情報を出力する。
【００４３】
基地局１の送信電力制御部１５は、交換局６から入力された送信電力情報にて送信電力を下げるように指示された場合、可変アッテネータ１６の値を現在の値よりも増加させる。可変アッテネータ１６は、基地局１からの送信波の強さを増減する装置であり、値を増加させると送信波が弱くなるため、基地局１のセルエリア１０１が小さくなる。尚、基地局２〜４についても、上記の基地局１と全く同じ動作を行う。
【００４４】
図８及び図９は本発明の他の実施例による無線通信システムにおいて障害物がなくなった状態を示すブロック図である。これら図６〜図９を参照して、受信アンテナ１１０にてセル干渉エリア５００を検出した場合の動作について説明する。
【００４５】
図８に示すように、受信アンテナ１１０にてセル干渉エリア５００が発生した場合、基地局１から送信した周波数ｆ１で変調された検査用データを受信アンテナ１１０で受信した結果が誤るため、受信アンテナ１１０でセル干渉が発生したことを交換局６にて検出する。交換局６では、受信アンテナ位置情報格納部６２の受信アンテナ位置情報からセル干渉が発生している受信アンテナ１１０から最も近くかつ同一周波数の受信アンテナを有している基地局を検索して特定する（図８では受信アンテナ４１０を有している基地局４がそれに該当する）。
【００４６】
次に、交換局６は特定した基地局４に対して送信電力を下げるように指示するための送信電力制御情報を出力する。基地局４は送信電力を下げるように指示するための送信電力制御情報が入力されると、可変アッテネータ１６の値を増加させて送信波の電力を弱めるため、セルエリア４０１が小さくなる。その結果、図９に示すように、受信アンテナ１１０にて生じていたセル干渉エリア５００が解消される。
【００４７】
本実施例では、上述した本発明の一実施例の効果に加えて、以下のような効果を奏する。本実施例では、セル干渉が発生した場合に、その干渉源の基地局に対して送信電力を下げるように指示し、その基地局のセルエリアを小さくするため、セル干渉が発生した場合に、そのセル干渉エリア５００を自動的に解消することができる。
【図面の簡単な説明】
【００４８】
【図１】本発明の一実施例による無線通信システムの構成を示すブロック図である。
【図２】図１の基地局の構成を示すブロック図である。
【図３】本発明の一実施例による無線通信システムにおいて障害物がなくなった状態を示すブロック図である。
【図４】従来例による無線通信システムの構成を示すブロック図である。
【図５】従来例による無線通信システムにおいて障害物がなくなった状態を示すブロック図である。
【図６】本発明の他の実施例による無線通信システムの構成を示すブロック図である。
【図７】図６の基地局の構成を示すブロック図である。
【図８】本発明の他の実施例による無線通信システムにおいて障害物がなくなった状態を示すブロック図である。
【図９】本発明の他の実施例による無線通信システムにおいて障害物がなくなった状態を示すブロック図である。
【符号の説明】
【００４９】
１〜４  基地局
５  障害物
６  交換局
７  保守監視卓
１１−１〜１１−ｎ  データ復調部
１２−１〜１２−ｎ  比較部
１３  検査用データ生成部
１４  データ変調部
１５  送信電力制御部
１６  可変アッテネータ
６１  セルエリア制御部
６２  受信アンテナ位置情報格納部
１００，４００  有線伝送路
１０１，２０１，３０１，４０１  セルエリア
１１０，１２０，・・・，１ｎ０  受信アンテナ
【図１】
2007104648.tif 000003
【図２】
2007104648.tif 000004
【図３】
2007104648.tif 000005
【図４】
2007104648.tif 000006
【図５】
2007104648.tif 000007
【図６】
2007104648.tif 000008
【図７】
2007104648.tif 000009
【図８】
2007104648.tif 000010
【図９】
2007104648.tif 000011